(57)【要約】      （修正有）【課題】打抜き型の使用後にはその型とともに保管できるようにして、利便性と作業効率の向上を図ることができる打抜き型とその打抜き型の刃当り調整シートの収納具を提供する。【解決手段】被加工シート材の打抜き型における型基板１１の周囲の一辺に沿わせて、その長さ寸法より短い長さで、本体２を中空形状にされて一側部に前記型基板１１の端縁部１１ａを上下から挟むようにして装着する取付部５を備え、前記本体２の内部に巻かれた刃当り調整シート２０を収納できるように構成されている。【選択図】図２
2005329539.tif 000002
【特許請求の範囲】
【請求項１】
被加工シート材の打抜き型における型基板の周囲の一辺に沿って、この打抜き型の打抜き刃の配置を表わす図が描かれた刃当り調整シートを収める収納具が装着されていることを特徴とする打抜き型。
【請求項２】
前記収納具を装着する型基板の端縁部には、その収納具の抜け止め手段を備えている請求項１に記載の打抜き型。
【請求項３】
被加工シート材の打抜き型における型基板の周囲の一辺に沿わせて、その長さ寸法より短い長さで、本体を中空形状にされて一側部に前記型基板の端縁部に対して上下方向に固定力が作用して装着する取付部を備え、前記本体の内部に、前記打抜き型の打抜き刃の配置を表わす図が描かれた刃当り調整シートを巻いた状態で収納保持できるように構成されていることを特徴とする打抜き型の刃当り調整シートの収納具。
【請求項４】
前記本体の一側部に連接して形成される取付部は、前記型基板の端縁部を上下から挟むようにして、その一方の受け座部／押え部の内側に、型基板の裏面／表面側に接してその基板縁端と接する当り面が形成され、前記型基板の表面側に接する押え部には型基板に付設される抜け止め手段と係合する係止部が設けられ、本体の中空部が前記当り面形成部と前記押え部下面との間で開放された構成である請求項３に記載の打抜き型の刃当り調整シートの収納具。
【請求項５】
前記収納具は、その軸方向の長さ寸法が短く形成されていて、これを打抜き型の端縁部に対して所要の間隔で複数個装着され、それらの本体の中空部に刃当り調整シートを挿入して保持されるように構成される請求項３または４に記載の打抜き型の刃当り調整シートの収納具。
【請求項６】
前記収納具は、その軸方向に所要長さ寸法にされ、本体に連接する取付部の押え部を軸方向に直交して設けられる切割りにて複数部片に分割され、その少なくとも一つの部片の内面に突起が設けられ、その突起を型基板の端縁部に設けられる係止穴に係合させて係止するように構成されている請求項３〜５のいずれかに記載の打抜き型の刃当り調整シートの収納具。
【請求項７】
前記収納具において、取付部の内面に設けられる突起と軸方向に同一軸線上で適宜寸法離れて型基板に設けられる係止穴穿設のゲージ孔を設けてあることを特徴とする請求項６に記載の打抜き型の刃当り調整シートの収納具。
【請求項８】
前記本体の外側面を平面にして装着される打抜き型に関する情報の表示部とされる請求項３〜６のいずれかに記載の打抜き型の刃当り調整シートの収納具。
【発明の詳細な説明】
【技術分野】
【０００１】
本発明は、板紙，ダンボールシートなどで包装用箱のブランクを打抜く作業工程で使用される打抜き型に取付けられた打抜き刃の刃当りを調整するシートを打抜き作業後に、その打抜き型とともに収容保管できるようにした打抜き型とその打抜き型の刃当り調整シートの収納具に関するものである。
【背景技術】
【０００２】
板紙，ダンボールシートなどの材料シートを用いて包装用箱を作成するに際しては、その包装用箱を形成するのに必要な形状となるように展開したものを打抜いて、この打抜かれたもの（一般にブランクといわれている）を輸送できる状態に組立て被包装物を包装するユーザーに出荷されている。この材料シートを打抜いて包装用箱のブランクを形成するには、型打抜き装置として主に平版打抜き機が用いられている。この平版打抜き機において用いられる打抜き型は、主に所要寸法の合板にてなる型基板の上面に、前記ブランクが得られるように曲げ加工ができる切抜刃並びに折目を形成する罫押し刃が植設されている。
【０００３】
前記打抜き型１００は、例えば図１０（ａ）（ｂ）によって示されるように、型基板１０１の盤面１０２に包装用箱のブランクを形成するため、多数の打抜き刃１０３および折目線を形成する罫押し刃１０４が植設されており、形状構成のために複数の打抜き刃１０３が交差する箇所（図示せず）が何箇所も生じる。これらの打抜き刃１０３は、包装用箱の収容容積に対応するデザインに基づき設計された通り合板製の型基板１０１の盤面１０２に、その打抜き刃１０３（１０４）が植設される細い切溝をレーザ加工などによって形成され、その植設用の切溝に曲げ加工容易な金属製の切刃（打抜き刃１０３）や刃先を持たない罫押し刃１０４を形状に合わせて植え込み、所要の打抜き型を作成している。
【０００４】
このような打抜き型１００にあっては、前記刃を植設された型に対して受け側の受け板１０５は平板であるから、シート材１２０を打抜くときに植設される打抜き刃１０３の刃先が同一レベルに揃っている必要がある。しかしながら、前述のように、打抜き刃１０３を人手によって植え込む作業で作成されているので、どうしても僅かな不揃い箇所が生じる。特に打抜き刃１０３が交差するような箇所ではその刃先の調整を必要とする場合が多い。そのために、打抜き型１００を製作する工場では、打抜き型１００の設計による原寸の図面を別途用意して型に付属させてユーザーに提供している。一方、ユーザーは、打抜き型１００を図示されない打抜き機の型取付け箇所にセットする際に、予め打抜き型１００の型基板１０１裏面（刃が突き出していない側、以下同じ）に当て板１１５（３〜５ｍｍの鉄板または樹脂板）を取付けて、その当て板１１５の裏面に前記図面１１０を取り外し可能に貼り付け、両者に予め付されている基準となる目安のマーク（見当）を合致させることで、ちょうど、打抜き型１００の打抜き刃１０３の配置が当て板１１５の裏面において明示できるようにされ、このようにした打抜き型１００をセット枠１３０（型の受け部は金属板である）に保持させて後、このセット枠１３０を打抜き型の刃が下向きになるように反転させて打抜き装置の打抜き部に装着し、作業に先立って試験打ちして切り斑取りを行っている。なお、その切り斑取りの作業では、打抜き刃１０３によって被加工シート材１２０が切断されない位置を確認して、セット枠１３０に保持させた打抜き型１００を一旦外し、切断されない刃の位置に対応する箇所を貼着している図面１１０上で確認して当該箇所にセロハンテープなど粘着テープを貼り付け、再びセット枠１３０に打抜き型１００を保持させて打抜き装置の打抜き部に装着させ、微妙な切断具合を確かめる作業を行っている。
【０００５】
打抜き型１００は、セット枠１３０に取付けられると当て板１１５の裏面がセット枠１３０の受け板上に重ね合わされる。したがって、当て板１１５の裏面に貼り付けられる図面１１０に刃当り調整のためにテープを貼着された部分が、局部的に盛り上がるので、当該部分の打抜き刃１０３が僅かながら持ち上がることになる。要するに打抜き刃１０３による切断がよくない箇所の当て板１１５の裏面にテープを張ってセット枠１３０に取付けることで刃先を押出すようにして揃える型の部分調整を行っている。なお、前記図面１１０は繰り返し使用されると同時に、使用時における刃当り調整に際してその都度調整の状態が異なるので、テープの貼着位置を変えることになり、着脱容易であることや耐久性が求められるので、例えばポリエステルフィルム製の製図用シート（商品名「マイラー」（デュポン社））が使用されている（以下、刃当り調整シート１１０という）。
【発明の開示】
【発明が解決しようとする課題】
【０００６】
前記のようにして使用される打抜き型１００は、使用が終了すると次回の使用時まで保管しており、再び使用に供するときには前述のように打抜き刃１０３による切り斑取りが行われる。したがって、打抜き型１００の使用後には、必ず型基板１０１の裏面に貼着していた刃当り調整シート１１０（図面）を取り外して保管することになる。しかしながら、その刃当り調整シート１１０は、打抜き型１００と一体ではないので、型とは別に保管されており、型の使用に際して保管された多数の刃当り調整シートの中から使用する打抜き型に対応するものを探し出して使用するというのが現状である。
【０００７】
しかも、一般に箱の製造工場では、多数の異なる寸法の包装用箱が製造されており、それら箱の打抜き型は当然寸法的に異なるものであるため、打抜き型を一定寸法に統一することができない。このようなことから、打抜き型の保管も一様でなく、例えば保管棚を設けてその棚上に立てかけるようにして保管されている。当然、前記刃当り調整シートもまちまちの寸法であるので、その刃当り調整シートは丸めて（筒状に巻いて）保管されている。したがって、打抜き型を保管場所から取出して使用するに際し、対応する刃当り調整シートを探し出すのに多くの手数を要するなど、作業に支障を来たすという問題点がある。また、刃当り調整シートを保管するについても、必要なものを探し出すのに多くのものを取扱うことになり、損傷を来たすというように、管理上多くの問題点がある。
【０００８】
本発明は、このような問題点を解決するためになされたもので、打抜き型の使用後にはその型とともに保管できるようにして、利便性と作業効率の向上を図ることができる打抜き型とその打抜き型の刃当り調整シートの収納具を提供することを目的とするものである。
【課題を解決するための手段】
【０００９】
前記目的を達成するために、本発明による打抜き型は、
被加工シート材の打抜き型における型基板の周囲の一辺に沿って、この打抜き型の打抜き刃の配置を表わす図が描かれた刃当り調整シートを収める収納具が装着されていることを特徴とするものである（第１発明）。
【００１０】
また、前記収納具を装着する型基板の端縁部には、その収納具の抜け止め手段を備えるようにするのがよい（第２発明）。
【００１１】
次に、第３発明による打抜き型の刃当り調整シートの収納具は、
被加工シート材の打抜き型における型基板の周囲の一辺に沿わせて、その長さ寸法より短い長さで、本体を中空形状にされて一側部に前記型基板の端縁部に対して上下方向に固定力が作用して装着する取付部を備え、前記本体の内部に、前記打抜き型の打抜き刃の配置を表わす図が描かれた刃当り調整シートを巻いた状態で収納保持できるように構成されていることを特徴とするものである。
【００１２】
また、前記第３発明において、本体の一側部に連接して形成される取付部は、前記型基板の端縁部を上下から挟むようにして、その一方の受け座部／押え部の内側に、型基板の裏面／表面側に接してその基板縁端と接する当り面が形成され、前記型基板の表面側に接する押え部には型基板に付設される抜け止め手段と係合する係止部が設けられ、本体の中空部が前記当り面形成部と前記押え部下面との間で開放された構成であるのがよい（第４発明）。
【００１３】
また、前記第３発明または第４発明において、前記収納具は、その軸方向の長さ寸法が短く形成されていて、これを打抜き型の端縁部に対して所要の間隔で複数個装着され、それらの本体の中空部に刃当り調整シートを挿入して保持されるように構成されるのがよい（第５発明）。
【００１４】
さらに、前記第３発明〜第５発明において、前記収納具は、その軸方向に所要長さ寸法にされ、本体に連接する取付部の押え部を軸方向に直交して設けられる切割りにて複数部片に分割され、その少なくとも一つの部片の内面に突起が設けられ、その突起を型基板の端縁部に設けられる係止穴に係合させて係止するように構成されているのがよい（第６発明）。この第６発明において、前記収納具において、取付部の内面に設けられる突起と軸方向に同一軸線上で適宜寸法離れて型基板に設けられる係止穴穿設のゲージ孔を設けてあることを特徴とする（第７発明）。
【００１５】
さらに、前記第３発明〜第６発明において、本体の外側面を平面にして装着される打抜き型に関する情報の表示部とされるのがよい（第８発明）。
【発明の効果】
【００１６】
第１発明によれば、打抜き型の型基板の一辺を利用して打抜き刃の刃当り調整に使用されたシートを収容できる収納具を装着することにより、打抜き型の使用終了後には、刃当り調整シートを打抜き型の撤去時に取り外して嵩低く丸め、収納具内に収納すれば、打抜き型とともに保管棚などに収容できて紛失することもなく、次回の使用時に打抜き型を取出せば、型とともに刃当り調整シートもついてくる。したがって、従来のように型と別個に刃当り調整シートの保管場所で探し出す手間がなくなり、著しく作業性が向上するという効果を奏する。また、収容具の取付け位置は、打抜き型のセット枠に装着して打抜き作業に当たる際不適でない一辺に取付けることで、打抜き作業に支障を来たすこともない。
【００１７】
また、第２発明の構成を採用することにより、型基板の端縁部に収納具を装着しても、打抜き型を移動させたりセット枠に取付ける際に抜け出すことがなく、型基板と一体的に操作できる。
【００１８】
前記第３発明によれば、打抜き型の型基板の一辺に沿わせて中空状に形成された本体とその基板の縁部を挟むようにして装着できる取付部とでなる収納具であるので、収納する刃当たり調整シートを例えば巻いて嵩低くして本体の内部に納めるようにすれば、コンパクトにまとめられ、打抜き型ととも刃当たり調整シートを取扱うことができるので、作業性の向上を図ることができる。また、断面構造を一定にすることができるので、取付ける打抜き型の基板寸法に応じた長さ寸法のものを簡単に製作することができるという利点がある。そして、構造的にも簡単であるので、安価に提供できる。
【００１９】
また、第４発明の構成を採用することにより、打抜き型の基板縁部に装着する収納具が、その取付部の内側において当り面と型基板端面との接触で取付け位置を決められ、かつ抜け止め手段と係合部の係合で取扱い中に抜け出すことが予防され定位置に装着維持できるという効果を奏する。
【００２０】
また、第５発明の構成を採用することで、刃当り調整シートの収納具は、基板の収納具を取付ける一辺の長さに相応するもの以外に、所要の長さ寸法のものを所要ピッチで複数、一定の条件（軸心線を一致させる）で取付け、これらの収容部によって挿入された刃当り調整シートを支持するように構成でき、例えば同一寸法のものを多数用意しておくことで、寸法の異なる型基板に対しても対応させることができる。こうすれば、多量生産でコストダウンを図ることができる。
【００２１】
さらに、第６発明の構成を採用することにより、型基板に特別な係止部材を取付けたりせずに収納具側の係止用の突起と係合する穴をあけるだけで係止させることができる。また、この発明の構成によれば、寸法的に短くできて、取付部における押え部側が可動的に形成されていることから、収納具を脱着自在にすることができるので、セット枠に型基板をセットする際に収納具が邪魔になる場合、収納具を取り外しておくことが簡単にできる。また、第７発明の構成を採用すれば、この収納具を型基板に装着する際、その取付部の係止手段として、付設される突起に対する係止穴を付属するゲージ孔を利用して型基板に穿設し、そのままの状態で取付部をスライドさせると突起が穿設された係止穴に嵌り込んで、直ちに係止されるという具合に取付けを容易にするという利点がある。
【００２２】
さらに、第８発明によれば、この収納具の外側面を背面として、この面を表示部にして使用打抜き型の内容など情報を記載することで、収容後における取扱いを容易にすることができる。
【発明を実施するための最良の形態】
【００２３】
次に、本発明による打抜き型とその打抜き型の刃当り調整シートの収納具の具体的な実施形態について、図面を参照しつつ説明する。
【００２４】
図１には本実施形態の刃当り調整シートの収納具を装着された打抜き型の平面図（ａ）と長さを短くして小型化した収納具を複数個配置した打抜き型の要所を表わす平面図（ｂ）が示されている。図２には要部を拡大して表わす部分斜視図である。図３は抜け止め手段を表わす平面図であって、（ａ）は押え部片の外側で横ズレを防止する方式を示す図で、（ｂ）は収納具の押え部片の係止溝内部で盤面側の係止板と係合して横ズレを防止する方式を示す一実施態様の図である。
【００２５】
本実施形態の打抜き型の刃当り調整シートの収納具１は、打抜き型１０の合板で形成された型基板１１の周辺のいずれか一辺に沿わせて装着する取付部５を一体にして備える本体２が筒状に形成されている。
【００２６】
前記刃当たり調整シートの収納具１（以下、単に収納具１という）は、筒状に形成される本体２に、その一側部に沿ってほぼ全長にわたり取付部５が一体にされたものであり、たとえばアルミニウム合金あるいは機械的強度の高いプラスチックによって押出し成形で形成されている（ただし、これに限定されるものではない）。本体２は、断面が中空長方形に形成されて、その空間部３が刃当り調整シート２０の収納部となる。そして、本体２は、その装着状態で盤面１１ａからの高さ寸法Ｈａが打抜き型１０の盤面１１ａに植設されている打抜き刃１３の高さＨｂとほぼ同じかやや低い高さ寸法とされている（打抜き刃１３の両側に沿って配設されたスポンジ材による加工シート押え部材１４の高さＨｃ（一般にこの加工シート押え部材１４は、植設された打抜き刃１３の刃先までの高さＨｂより２〜３ｍｍ高く設定されている）よりも低い寸法になっている）。また、本体２はその外周においてコーナ部を曲面にされ、取付部５と反対の側、すなわち背面となる部分を平坦面に形成して、この背面を表示部９とされている。
【００２７】
前記取付部５は、前記本体２の一方の側部から横方向に平行して突き出す受け部片５ａ（本発明の受け座部に対応）と押え部片５ｂ（本発明の押え部に対応）とからなる。その受け部片５ａは、前記本体２の装着時における型基板１１の裏面側１１ｂに沿って直線状に所要幅で平板に形成されている。また、押え部片５ｂは、前記本体２の装着時における型基板１１の盤面側１１ｂに沿って直線状に所要幅でその端縁部５ｃを除いて平板状に形成され、前記端縁部５ｃを適宜幅で斜め上向きに形成されている。なお、取付部５を形成する受け部片５ａと押え部片５ｂとは、型基板１１の端縁部１１ｃを上下方向から挟みつけるように形成され、前記本体２と取付部５との境界部における内側で、受け部片５ａ側および押え部片５ｂ側に装着位置（請求項４の発明における当り面に対応する）を規制する突起条６，６′が軸方向に形成されている。
【００２８】
このような構造の取付部５側と前記本体２との連結部分の内部は、その本体２の中空部３と開放状態に連通されている。また、この取付部５には、収納具１が型基板１１に装着固定できるように、抜け止め手段として、押え部片５ｂの下面に適宜幅で係止溝７が軸線方向に設けられ、その係止溝７に対して係合する係止板８が型基板１１の端縁部１１ｃ上面に接着されている。なお、前記押え部片５ｂの先端部５ｃは下面を斜め上向きの勾配面に形成され、前記係止溝７とで鉤状に形成されている。また、前記本体２は、前記取付部５の押え部片５ｂが連接するその一辺２ａを、押え部片５ｂの先端部５ｃを持ち上げるようにすると弾性変形可能な肉厚にされ、併せて取付部の押え部片５ｂと受け部片５ａとによる型基板１１の端縁部１１ｃへの挟持力を高め得るようにされ、また、前記型基板１１の端縁に付設される係止板８と押え部片５ｂに設けられた係止溝７との係合・解脱ができるようにされている。
【００２９】
このように構成される本実施形態の収納具１は、使用に際して対象となる打抜き型１０の寸法に応じてその型基板１１の長辺もしくは短辺のいずれか一方で、型の収納に際して都合のよい一辺を選択して、その型基板１１の端縁部１１ｃを上下両面から取付部５にて挟み込むように取付けて使用する。新しく型に収納具１を装着する場合は、前記取付部５の押え部片５ｂに設けた係止溝７と型基板１１の端縁部１１ｃの盤面１１ａに取付けられている係止板８とを係合させて抜け出すのを防止するように取付けられる。なお、型基板１１に装着される収納具１は、その全長が型基板１１の装着する辺の全長よりもやや短い寸法にして、端部が型基板の装着部に隣接する周辺から食み出さないようにして設けるのがよい。そのために、前記係止板８は、図３（ａ）に示されるように、その長さ方向の端部８ａに段部を形成して、取付部５の押え部片の端部５ｂ′がその段部に当接して軸線方向に移動するのを防止する。こうすることにより、型収納棚などに収める際にその棚面と擦れ合って損傷するのを予防できる。
【００３０】
こうして収納具１を打抜き型１０に装着しておけば、打抜き型１０が打抜き装置に使用されるとき、打抜き刃１３の刃当り調整を行うための刃当り調整シート２０（図面）を打抜き型に取付けられる当て板（図１０参照）の裏面に貼り付けて切り斑の調整が行われ、打抜き工程で使用された後、この打抜き型１０を保管するとき、用済みとなった刃当り調整シート２０を前記打抜き型に取付けた当て板の裏面から取り外し、これを細く巻いて本体２の空間部３内に挿入して収納する。この際、その刃当り調整シート２０は、収納具１の全長以内となるように向きを定めて筒状に巻き、本体２内部に挿入する。なお、その刃当り調整シート２０は型基板１１の外形寸法より小さい寸法であり、収納具１はその型基板１１に対する装着辺の長さ寸法よりやや短い寸法に設定されているので、収納する刃当り調整シート２０を収納具１の長さに対応するように巻くことで型基板１１の端辺から食み出すことなく収納できるのである。また、本体２の収納部（空間部３）は断面を長方形に形成されているので、高さ寸法が低くて偏平であっても巻き込んで収納される刃当り調整シート２０が収まるスペースを確保することができる。そのほかに、収納具１が型基板１１の端縁部１１ｃに沿って装着されているが、打抜き操作に際して、本体２部分が打抜き刃１３の側方位置に設けられている押え部片１４よりも低い高さにされているので、打抜き時に被加工シート材と接触することがなく支障を来たさない。
【００３１】
このようにして打抜き型１０には収納具１が装着されているので、この型で使用された刃当り調整シート２０は、この収納具１に収容することで、常に型とともにあるから、長い期間保管されてその後に使用する場合でも、収納具１から取出すことにより直ちに使用に供することができ、作業効率を向上させることができるのである。また、刃当り調整シート２０の使用後は収納具１に収めて保管されるので、他の型のものと混在せず、取扱いにより損傷するようなことを予防できるので、好都合である。
【００３２】
また、前記収納具１はその本体２の背面が表示部９とされているので、ここに打抜き型に関する情報、例えば打抜き成形品（包装用箱など）の納品先，製品型番，寸法などを記載しておくことにより、この表示部が外部から視認できる状態で収容棚に保管することにより、収納後の取出しが容易になり、型の管理が良好になる。したがって、この収納具１は、刃当り調整シート２０の保管のみならず打抜き型全般の管理にも役立つのである。
【００３３】
なお、本実施形態の収納具１は、前述のように取付部５の受け部片５ａと押え部片５ｂによって端縁部１１ｃを挟みつけるようにして装着され、係止板８と係止溝７との係合（抜け止め手段）で外れ止め機能が働くようにされているので、通常の取扱いでは外れない。型基板１１から取り外す場合には、その押え部片５ｂの端縁部５ｃを工具などで持ち上げて係止板８端から係止溝７に連接する鉤部が外れる状態で型基板１１に沿い移動させることにより、型基板１１から収納具１を取り外すことができる。装着時にはその逆の操作によって取付けることができる。
【００３４】
以上に説明した実施形態の収納具１は、長尺のものであるが、同様構造で図１（ｂ）に示されるように、全長が短い寸法の収納具１Ａを所要の間隔で複数個、本体２の軸心線を合致させて配置することができる。この収納具１Ａは、前記実施形態の収納具１と同じ構造にされ、長さのみが短く形成されている。また、外れ止め（抜け止め）については、前記図３（ａ）に示されるように、係止板８の実質的切込みの内側で押え部片５ｂに設けられる係止溝７を係合させることにより軸線方向と幅方向の移動が阻止されて定位置に固定保持される。
【００３５】
このように構成される長さ寸法の短い本体２並びに取付部５にてなる収納具１Ａを使用する場合でも、同一条件で型基板１１の端縁部１１ｃに配設することにより、それらの本体２内の空間部３にて巻かれた刃当り調整シート２０を挿入して複数箇所で保持させ、前記実施形態のものと同様の効果が得られるのである。
【００３６】
次に、図４に他の実施形態の収納具を表わす要部断面斜視図が示されている。この実施形態の収納具１Ｂは、基本的に前記実施形態のものと同様であり、取付部の構造において一部を異なるものである。したがって、前記のものと同一もしくは同様の部分については同一の符号を付して説明を省略する。
【００３７】
この収納具１Ｂは、中空筒状の本体２に連結して型基板１１の端縁部１１ｃを上下方向から挟み付ける取付部５の基本構造が前記実施形態のものとほぼ同様である。押え部片５ｂ′は端縁５ｃ′を適宜幅で斜め上向きに形成され、この押え部片５ｂ′に係止孔７Ａを所要のピッチで複数箇所に設けてあり、その係止孔７Ａに対応するようにして型基板１１の端縁部１１ｃに、盤面１１ａに直交して先端が大きく突き出さないようにして係止ピン８Ａが植設されている。
【００３８】
このように構成される収納具１Ｂは、型基板１１の端縁部１１ｃに対する取付けに際して、取付部５に設けられる係止孔７Ａと型基板１１の端縁部１１ｃに設けられる係止ピン８Ａとの位置が予め合致するように設定しておくことで、装着時にその係止ピン８Ａに対して係止孔７Ａを係合するように押え部片５ｂ′を持ち上げて嵌め合わせれば、簡単に装着固定することができ、保管時など型の移動に際して収納具が抜け落ちるのを予防できる。なお、この実施形態の収納具１Ｂにおいても、前記実施形態で説明したように同一断面構造で全長の短いものを複数用いて刃当り調整シート２０を収納することもできる。
【００３９】
また、図５に他の実施形態の収納具を表わす一部を省略した斜視図が示されている。この実施形態の収納具１Ｃは、基本的に前記実施形態のものと同様であり、取付け構造において異なるものである。すなわち、この収納具１Ｃは、中空筒状の本体２Ｃと、この本体２Ｃを打抜き型１０の型基板１１の一側辺に沿わせて端縁部１１ａに取付ける取付金具２１とで構成されている。
【００４０】
前記本体２Ｃは、前述の実施形態の本体同様に断面長方形に形成された筒体であって、型基板１１の厚さ寸法より大きくて装着されたとき盤面上に配置されるスポンジ体にてなるシート押え部片１４（図２参照）の高さ寸法より低くなるように設定されている。そして、この本体２Ｃの空間部２２内が刃当り調整シート２０の収容部となっている。
【００４１】
このような本体２Ｃを型基板１１の端縁部１１ａに沿わせて取付ける取付金具２１は、所要幅の薄金属板を屈曲形成して本体２Ｃを抱持するとともに、その端部を前記端縁部１１ａに上下から挟み付けて小ねじ２３によって固定する構造とされている。このような取付金具２１は、本体２Ｃの全長に複数箇所で外部から抱持して固着するようにされている。
【００４２】
このように構成される形態の収納具１Ｃにおいては、前記実施形態の収納具１と同様の機能を発揮する。その本体２Ｃは型基板１１に対する装着端面と反対側の面が開放されているので、前記実施形態のものと同様にこの面を表示部９として型に関する情報を記載することができる。なお、取り外す必要のあるときには、取付金具２１の小ねじ２３による固定を解くことにより取り外すことが可能である。また、図示省略するが、前記本体２Ｃを短い寸法にして、１以上の取付金具２１で固定して所要の間隔で型基板１１の端縁部１１ｃに配設するようにしてもよい。
【００４３】
さらに、図６には他の実施形態の収納具を表わす一部断面斜視図が示されている。この実施形態の収納具１Ｄは、前記実施形態のものと同様であり、取付け構造において異なるものである。すなわち、この収納具１Ｄは、中空筒状の本体２Ｄと、この本体２Ｄを打抜き型１０の型基板１１の一側辺に沿わせて端縁部１１ｃに取付ける取付部２４とが一体に構成されたものである。
【００４４】
本体２Ｄは、断面長方形の筒状で、その基部２ａから適宜幅で取付部２４が水平に突き出して形成され、その取付部２４と基部２ａとの接合部分が直角に形成されて型基板１１の端縁部コーナ１１ａ′と接合できる形状にされている。断面長方形の空間部３は、刃当り調整シートの収納部となっている。そして、前記取付部２４は所要の間隔で小ねじ２３′によって型基板１１に固定されるようになっている。
【００４５】
このように構成される収納具１Ｄは、前記第１番目の実施形態のものとは取付部が異なるが型基板１１の端縁コーナ１１ａ′に取付け基部２ａを当接して小ねじ２３′により締着することで、確実に固定され、簡単な構成で所期の目的を達成することができる。なお、この実施形態のものにおいて、短い長さ寸法にしたものを、前記要領で複数配設して使用することも可能である。
【００４６】
さらに、図７に示されるのは、他の実施形態の収納具である。この実施形態の収納具１Ｅとしては、全体を薄肉の弾性材で形成するか、引抜きもしくは押出し成形された構造のもので、幅寸法Ｂを適宜幅にして、刃当り調整シート２０を丸めて挿入できる長方形の空間部３Ｅが本体２Ｅの内側に形成され、この本体２Ｅから平行して延長する上下二部片５ｅ，５ｅ′が型基板１１の端縁部１１ｃを挟み付けて固定する取付部５Ｅとなるようにされている。その取付部５Ｅにおける上下部片５ｅ，５ｅ′の各先端は内向きに屈曲形成されており、かつその先端屈曲部５ｆ，５ｆからそれぞれ所要寸法本体寄りの位置に係止突条５ｇ，５ｇが設けられている。
【００４７】
このように形成される収納具１Ｅは、型基板１１の端縁部１１ｃに前記取付部５Ｅの先端屈曲部５ｆ，５ｆが係合する寸法にレーザカットによって形成された長孔１１ｅに、前記取付部５Ｅの上下部片５ｅ，５ｅ′を係合させるようにして型基板１１の端縁部１１ｃを挟み付けるようにすると、係止突起５ｇ，５ｇが端縁部１１ｃの端面に接することになって装着固定できる。したがって、この収納具１Ｅを所要のピッチで配設することにより、前記実施形態のものと同様に刃当り調整シート２０の収納ができる。
【００４８】
このような収納具１Ｅは、その構成材として鉄板を使用して前述のように曲げ加工して形成することも可能であり、この鉄板製の場合は、前述の取付部内側に形成される係止突起を省略することができる。
【００４９】
前述の実施形態において、抜け止め手段として取付部５における係止溝７が設けられる部片と係止板８との関係は、盤面側に係止板を配置する説明になっているが、必要に応じて係止板を背面側に設け、これに対応して係止溝７を形成する部片を逆にすることもできる。また、抜け止め手段としては、前述のような係止溝と係止板との関係において、図３（ｂ）にて示されるように押え部片５ｂに形成される係止溝７Ａ部分に所要のピッチで波型の凹凸７ａを形成し、盤面１１ａに取付けられる係止板８Ａには前記係止溝７Ａに形成される凹凸７ａと噛み合う凹凸８ｂを形成したものを配するようにして、両者を係合させるようにすれば、横方向のズレに対して固定的に保持できる。なお、このような構造とするには収納具を樹脂成形することにより得ることが可能である。
【００５０】
前述の実施形態において、本体２（２Ａ，２Ｃ，２Ｄ，２Ｅ）の型基板端縁部への装着状態で盤面１１ａからの高さ寸法（Ｈａ）については、この収納具を打抜き型の使用時に取り外すようにする場合、打抜き作業に支障を来たさないので、必要に応じて、前述のように盤面１１ａに植設されている打抜き刃１３の高さＨｂよりやや高い寸法であってもよい。
【００５１】
次に、図８（ａ）に着脱形式の収納具の一実施形態の全体斜視図が、（ｂ）にそのＡ−Ａ断面図が示されている。
【００５２】
この実施形態の収納具１Ｆは、基本的には前記第１番目の実施形態のものと同様であるが、型基板１１に対して着脱自在な機能を備えている。もちろん、固定的に装着して使用することもできる。この収納具１Ｆは、例えば機械的強度の高い樹脂材料にて一体に成形されている。本体２Ｆは、前述のものと同様に中空長方形にして軸方向長さＬが比較的短い寸法にされている。この本体の中空部（空間部３Ｆ）が刃当り調整シートの収納部となる。取付部５Ｆは前記本体２Ｆから所要寸法で型基板１１の端縁部１１ｃを上下方向に挟みつけられるように所要間隔で受け部片５ａ″と押え部片５ｂ″とが平行に配されており、取付部５Ｆと本体２Ｆとの境界部の内側には型基板１１の端縁部１１ｃの位置決めとなる突起条６，６′が上下に形成されて、その取付部５Ｆ側の面が当り面となるようになっている。なお、本体２Ｆの空間部３Ｆと取付部５Ｆ側とは連通している。
【００５３】
また、前記取付部５Ｆの押え部片５ｂ″は、軸方向で複数の部片（この実施形態では三つの部片）に切割り５ｈにて分割され、個々に本体２Ｆと繋がる基部を基準にして上下方向に可動状態とされている。そして、中央の部片５ｂ″-１には、その下面（内面）のほぼ中央位置に突起８Ｆが軸線を垂下させて突設されている。なお、その突起８Ｆの端面は本体側に向けて下がり勾配にされている。このような中央の部片５ｂ″-１に対して、その両脇の部片５ｂ″-２，５ｂ″-３には、それぞれ前記突起８Ｆと軸方向に同軸線ｂ上でゲージ孔１５，１５（前記突起８Ｆの直径よりやや大きい直径の孔）が設けられている。また、押え部片５ｂ″の先端下面は上り勾配の斜面にされ、型基板に対する差込み操作が容易なようにされている。受け部片５ａ″は比較的薄肉にして押え部片５ｂ″より長く突き出している。
【００５４】
一方、本体２Ｆは、空間部３Ｆを形成する胴部のコーナに剛性を持たせて取付部５Ｆが着脱の都度拡開されるときに全体として開き得る弾性変形可能な形状とされており、背面部分は前記実施形態のものと同様に表示部９とされている。
【００５５】
このように構成される収納具１Ｆは、使用に際して型基板１１の端縁部１１ｃに取付けるには、図９（ａ）に示されるように、装着しようとする型基板１１の端縁部１１ｃの適所に、取付部５Ｆの受け部片５ａ″をあてがって、受け部片５ａ″と押え部片５ｂ″との間に端縁部１１ｃを受入れるように、全体を斜めにして係合させ、受け部片５ａ″と押え部片５ｂ″とによって挟み込んだ型基板１１の端縁部１１ｃを突起条６，６′によって受け止められる位置に当接するようにする。この状態では押え部片５ｂ″の中央の部片５ｂ″-１には下向きに突起８Ｆが突き出ているのでこの部分が持ち上げられるが、他の二部片はそのまま型基板１１の端縁部１１ｃを受け部片５ａ″とで上下から挟み付けて保持されている。そこで、図９（ｂ）に示されるように、いずれか一方の部片５ｂ″−２（５ｂ″−２）上にあるゲージ孔１５位置で、電気ドリルによって係止穴７Ｆを穿設し、その後に収納具１Ｆをそのまま型基板１１の端縁部１１ｃに沿わせて矢印方向ｃにスライドさせると、前記係止穴７Ｆに突起８Ｆが嵌り込んで係合し、その位置で係止される。
【００５６】
このようにして収納具１Ｆは、その取付部５Ｆにおける受け部片５ａ″と押え部片５ｂ″とによって型基板１１を挟持して係止穴７Ｆと突起８Ｆの係合で抜け出すことなく簡単に装着できるのである。使用済みの刃当り調整シートは丸めて本体２Ｆの空間部３Ｆに差込むことにより、その全体を本体部分で保持するのではないが、型縁に沿わせて保管できる。
【００５７】
この実施形態の収納具１Ｆは、全体として小型化され、取付部５Ｆにおける押え部片５ｂ″に係止のための突起８Ｆが設けられているので、その押え部片５ｂ″を複数に分割した構造にして、突起８Ｆを備える部分をその他の部分と別に上下方向に変位させることができているので、係止穴７Ｆから突起８Ｆを外す操作が無理なくでき、型基板１１に対する着脱が容易に行えるのである。したがって、この形式の収納具１Ｆは、打抜き型をセット枠に装着する際に収納具が付されていると不都合である場合など、収納具の取り外しを要する場合に使用して効果的である。なお、このような形式において、押え部片５ｂ″に切割り５ｈを設けることなく一体にされたものとすることができる。また、必要に応じて受け部片５ａ″側に係止用の突起を設けることも任意成しえる。さらに、必要に応じてこの形式の収納具１Ｆを型基板１１の側辺に複数併設して使用することもできる。
【００５８】
以上に説明したように、本発明による打抜き型では、打抜き型の側部を利用して刃当り調整シートが収納できる細径に収納具を一体的に装着することで、用済み後の刃当り調整シートを細く巻いて嵩低い状態で収納することができるので、打抜き型とともに保管することが可能になり、以後の取扱いを容易にし、作業性の向上を図ることができるのである。また、本発明の刃当り調整シートの収納具によれば、簡単な構成で刃当り調整シートの使用後の収納ができ、型の保存をより合理的にする。
【図面の簡単な説明】
【００５９】
【図１】本実施形態の刃当り調整シートの収納具を装着された打抜き型の平面図（ａ）と長さを短くして小型化した収納具を複数個配置した打抜き型の要所を表わす平面図（ｂ）
【図２】要部を拡大して表わす部分斜視図
【図３】抜け止め手段を表わす平面図であって、（ａ）は収納具の押え部片の係止溝内部で盤面側の係止板と係合して横ズレを防止する方式を示す一実施態様の図で、（ｂ）は押え部片の外側で横ズレを防止する方式を示す図
【図４】他の実施形態の収納具を表わす要部断面斜視図
【図５】他の実施形態の収納具を表わす一部を省略した斜視図
【図６】他の実施形態の収納具を表わす一部断面斜視図
【図７】他の実施形態の収納具を表わす斜視図
【図８】（ａ）は着脱形式の収納具の一実施形態の全体斜視図、（ｂ）はそのＡ−Ａ断面図
【図９】（ａ）（ｂ）着脱形式の収納具の取付け態様を表わす斜視図
【図１０】打抜き型を用いるシート打抜き作業での打抜き型の刃当り調整操作を説明する図であって、（ａ）は打抜き型の裏面に刃当り調整シートを配置する説明図、（ｂ）は打抜き型のセット枠に取付けた態様説明図
【符号の説明】
【００６０】
１，１Ａ，１Ｂ，１Ｄ，１Ｅ，１Ｆ    収納具
２，２Ａ，２Ｃ，２Ｄ，２Ｅ，２Ｆ    本体
３，２２，３Ｅ，３Ｆ    空間部（収納部）
５，５Ｅ，５Ｆ，２４    取付部
５ａ，５ａ′，５ａ″      受け部片
５ｂ，５ｂ′，５ｂ″      押え部片
５ｈ        切割り
７          係止溝
７Ａ        係止孔
７Ｆ        係止穴
８          係止板
８Ａ        係止ピン
８Ｆ        突起
９          表示部
１０        打抜き型
１１        型基板
１１ｃ      端縁部
１３        打抜き刃
１４        押え部材
１５        ゲージ孔
２０        刃当り調整シート（図面）
２１        取付金具
【図１】
2005329539.tif 000003
【図２】
2005329539.tif 000004
【図３】
2005329539.tif 000005
【図４】
2005329539.tif 000006
【図５】
2005329539.tif 000007
【図６】
2005329539.tif 000008
【図７】
2005329539.tif 000009
【図８】
2005329539.tif 000010
【図９】
2005329539.tif 000011
【図１０】
2005329539.tif 000012